(57)【特許請求の範囲】
【請求項１】
地中線から供給される電力を変圧する変圧器を内部に有する本体、及び前記本体に設けられたカットアウトの接続穴に装着され、中間部が前記接続穴の中間に設けた第１電極を介して前記地中線に接続し、先端部が前記接続穴の奥部に設けた第２電極を介して前記変圧器に接続するヒューズ筒を備える路上変圧器に用いられ、前記ヒューズ筒に代えて前記接続穴に装着され、課電端子から探査信号が課電される課電端子アダプタであって、
前記課電端子に着脱自在に結合する第１結合部を基端部に有し、前記第１電極に接続する第１接続部を先端部に有する第１導体棒と、
この第１導体棒の先端部と同軸上に着脱自在に結合する第２結合部を基端部に有し、前記第２電極に接続する第２接続部を先端部に有する第２導体棒と、
前記第１導体棒の先端部と同軸上に着脱自在に結合する第３結合部を基端部に有し、前記第２電極を絶縁する第１絶縁棒と、を備える路上変圧器用課電端子アダプタ。
【請求項２】
前記第２導体棒は、基端部側が中実の軸棒からなり、先端部側が前記軸棒の外径より小さい外径を有する中空のパイプからなる請求項１記載の路上変圧器用課電端子アダプタ。
【請求項３】
地中線から供給される電力を変圧する変圧器を内部に有する本体、及び前記本体に設けられたカットアウトの接続穴に装着され、中間部が前記接続穴の中間に設けた第１電極を介して前記地中線に接続し、先端部が前記接続穴の奥部に設けた第２電極を介して前記変圧器に接続するヒューズ筒を備える路上変圧器に用いられ、前記ヒューズ筒に代えて前記接続穴に装着され、課電端子本体から探査信号が課電される課電端子であって、
前記課電端子本体の先端部から突出するように形成され、前記第１電極に接続する第３接続部を先端部に有し、前記ヒューズ筒の基端部側と同形状に形成する第３導体棒と、
この第３導体棒の先端部と同軸上に着脱自在に結合する第４結合部を基端部に有し、前記第２電極に接続する第４接続部を先端部に有し、前記ヒューズ筒の先端部側と同形状に形成する第４導体棒と、
前記第３導体棒の先端部と同軸上に着脱自在に結合する第５結合部を基端部に有し、前記第２電極を絶縁し、前記ヒューズ筒の先端部側と同形状に形成する第２絶縁棒と、を備える路上変圧器用課電端子。
【請求項４】
前記第４導体棒は、基端部側が中実の軸棒からなり、先端部側が前記軸棒の外径より小さい外径を有する中空のパイプからなる請求項３記載の路上変圧器用課電端子。
【請求項５】
請求項１又は２記載の路上変圧器用課電端子アダプタを用いて、前記地中線又は前記変圧器側の地絡の有無を検査する路上変圧器用課電方法であって、
前記第１導体棒と前記第２導体棒とを結合した課電端子アダプタに前記課電端子を結合した状態で、当該課電端子アダプタを前記接続穴に挿入し、前記課電端子を課電して、前記地中線又は前記変圧器側の地絡の有無を検査する第１工程と、
前記第１導体棒と前記第１絶縁棒とを結合した課電端子アダプタに前記課電端子を結合した状態で、当該課電端子アダプタを前記接続穴に挿入し、前記課電端子を課電して、前記地中線の地絡の有無を検査する第２工程と、を含んでいる路上変圧器用課電方法。
【請求項６】
請求項３又は４記載の路上変圧器用課電端子を用いて、前記地中線又は前記変圧器側の地絡の有無を検査する路上変圧器用課電方法であって、
前記第３導体棒と前記第４導体棒とを結合した状態で、当該課電端子を前記接続穴に挿入し、前記課電端子本体を課電して、前記地中線又は前記変圧器側の地絡の有無を検査する第１工程と、
前記第３導体棒と前記第２絶縁棒とを結合した状態で、当該課電端子を前記接続穴に挿入し、前記課電端子本体を課電して、前記地中線の地絡の有無を検査する第２工程と、を含んでいる路上変圧器用課電方法。
【発明の詳細な説明】
【技術分野】
【０００１】
本発明は、課電端子アダプタ及び課電端子に関する。特に、路上変圧器に探査信号を課電（印加）して、配電線を事故探査する課電端子に接続するアダプタ及び課電端子の構造に関する。
【背景技術】
【０００２】
一般に、電力を送電・配電する配電線は、電柱に支持されている。又、電柱は、柱上変圧器を支持している。そして、柱上変圧器は、配電線に印加された高圧の電力を家庭や事務所などで使用する電圧に変圧している。
【０００３】
又、柱上変圧器の近傍には、配電線と柱上変圧器を電気的に接続するカットアウト（ヒューズ筒保持器）を配置している。カットアウトは、内部にヒューズ筒を保持している。そして、過負荷運転となる電流が柱上変圧器に流れた場合には、ヒューズ筒の内部のヒューズが遮断（溶断）されて、変圧器の焼損などを防止している。
【０００４】
ところで、配電線に地絡事故などが発生すると、探査測定器に設けた課電端子からカットアウト（ヒューズ筒）に探査信号となる直流電流を印加して、事故点を探索することが実施されている。この場合、事故の探索時間を短縮することにより、停電の復旧時間を早めることが可能な課電端子アダプタが開示されている（例えば、特許文献１参照）。
【０００５】
特許文献１による課電端子アダプタは、配電線と柱上変圧器のそれぞれに導通接続するカットアウトに保持されたヒューズ筒が取り外されず、その下端部に課電端子アダプタの本体が取り付けられる。本体は、事故探査のために配電線及び柱上変圧器にかけられる探査信号が供給されるコード部とは分離可能であり、かつ、コードとの装着状態においては相対的に回動自在になっている。
【先行技術文献】
【特許文献】
【０００６】
【特許文献１】特開２００３−７７３８４号公報
【発明の概要】
【発明が解決しようとする課題】
【０００７】
近年では、電線類の地中化により、市街地の中心区域では、電柱が撤去されている。そして、地下に配設された配電線の電力は、地上に設置された路上変圧器で変圧されて、家庭や事務所などで使用されている。
【０００８】
この路上変圧器は、変圧器を内蔵する本体とカットアウトとが一体化されている。そして、路上変圧器に設けた正面扉又は側面扉を開き、カットアウトに穿設された接続穴にヒューズ筒を着脱するように、路上変圧器は構成されている。
【０００９】
カットアウトは、ヒューズ筒が挿入される接続穴の中間に第１電極を有し、接続穴の奥部に第２電極を有している。第１電極は、ヒューズ筒の中間部に接続すると共に、配電線に接続している。第２電極は、ヒューズ筒の先端部に接続すると共に、変圧器に接続している。
【００１０】
例えば、特許文献１による課電端子アダプタをヒューズ筒に接続しただけでは、配電線の地絡事故であるか、柱上変圧器側の地絡事故であるかを判断することは、困難である。
【００１１】
特許文献１の場合は、配電線が架空線であるので、架空線の所定箇所に設置したＣＴ（Ｃｕｒｒｅｎｔ  Ｔｒａｎｓｆｏｒｍｅｒ：変流器）で直流電流を検出し、その検出の有無で、配電線の地絡事故であるか、柱上変圧器側の地絡事故であるかを判断することができる。
【００１２】
しかし、路上変圧器の場合は、配電線が地中線であるので、ＣＴを設置できず、ＣＴを利用した配電線の事故点の検出が困難である。つまり、路上変圧器は、特許文献１による課電端子アダプタを利用して、配電線の地絡事故であるか、変圧器側の地絡事故であるかを判断することは、困難である。
【００１３】
路上変圧器において、配電線の地絡事故であるか、変圧器側の地絡事故であるかを判断することが容易な課電端子アダプタ及び課電端子が実現できれば、事故対象が容易に特定でき、停電の復旧時間を早めることも可能になる。そして、以上のことが本発明の課題といってよい。
【００１４】
本発明は、このような課題に鑑みてなされたものであり、配電線又は変圧器側の事故を特定でき、配電線を事故探査することが容易な路上変圧器用の課電端子アダプタ及び課電端子を提供することを目的とする。
【課題を解決するための手段】
【００１５】
本発明者は、ヒューズ筒に代えて、導体からなる課電端子アダプタをカットアウトの接続穴に挿入して事故の有無を検査し、次に、課電端子アダプタの先端部を絶縁体に代えて、この課電端子アダプタに探査信号を課電することにより、この課題が解決可能なことを見出し、これに基づいて、以下のような新たな路上変圧器用の課電端子アダプタ及び課電端子を発明するに至った。
【００１６】
（１）本発明による課電端子アダプタは、地中線から供給される電力を変圧する変圧器を内部に有する本体、及び前記本体に穿設された接続穴に装着され、中間部が前記接続穴の中間に設けた第１電極を介して前記地中線に接続し、先端部が前記接続穴の奥部に設けた第２電極を介して前記変圧器に接続するヒューズ筒を備える路上変圧器に用いられ、前記ヒューズ筒に代えて前記接続穴に装着され、課電端子から探査信号が課電される課電端子アダプタであって、前記課電端子に着脱自在に結合する第１結合部を基端部に有し、前記第１電極に接続する第１接続部を先端部に有する第１導体棒と、この第１導体棒の先端部と同軸上に着脱自在に結合する第２結合部を基端部に有し、前記第２電極に接続する第２接続部を先端部に有する第２導体棒と、前記第１導体棒の先端部と同軸上に着脱自在に結合する第３結合部を基端部に有し、前記第２電極を絶縁する第１絶縁棒と、を備える。
【００１７】
（２）前記第２導体棒は、基端部側が中実の軸棒からなり、先端部側が前記軸棒の外径より小さい外径を有する中空のパイプからなることが好ましい。
【００１８】
（３）本発明による課電端子は、地中線から供給される電力を変圧する変圧器を内部に有する本体、及び前記本体に設けられたカットアウトの接続穴に装着され、中間部が前記接続穴の中間に設けた第１電極を介して前記地中線に接続し、先端部が前記接続穴の奥部に設けた第２電極を介して前記変圧器に接続するヒューズ筒を備える路上変圧器に用いられ、前記ヒューズ筒に代えて前記接続穴に装着され、課電端子本体から探査信号が課電される課電端子であって、前記課電端子本体の先端部から突出するように形成され、前記第１電極に接続する第３接続部を先端部に有し、前記ヒューズ筒の基端部側と同形状に形成する第３導体棒と、この第３導体棒の先端部と同軸上に着脱自在に結合する第４結合部を基端部に有し、前記第２電極に接続する第４接続部を先端部に有し、前記ヒューズ筒の先端部側と同形状に形成する第４導体棒と、前記第３導体棒の先端部と同軸上に着脱自在に結合する第５結合部を基端部に有し、前記第２電極を絶縁し、前記ヒューズ筒の先端部側と同形状に形成する第２絶縁棒と、を備える。
【００１９】
（４）前記第４導体棒は、基端部側が中実の軸棒からなり、先端部側が前記軸棒の外径より小さい外径を有する中空のパイプからなることが好ましい。
【発明の効果】
【００２０】
本発明による課電端子アダプタは、第１導体棒及び第２導体棒からなる課電端子アダプタを接続穴に挿入して、課電することにより事故の有無を検査し、次に、第１導体棒及び第１絶縁棒からなる課電端子アダプタを接続穴に挿入して、課電することにより、配電線又は変圧器側の事故を特定でき、配電線を事故探査することが容易である。
【図面の簡単な説明】
【００２１】
【図１】本発明の第１実施形態による課電端子アダプタが適用される側面扉形の路上変圧器の構成を示す図であり、図１（Ａ）は、側面扉形の路上変圧器の平面図、図１（Ｂ）は側面扉形の路上変圧器の正面図である。
【図２】前記側面扉形の路上変圧器に備わるカットアウトの縦断面図である。
【図３】前記側面扉形の路上変圧器に備わるカットアウトに装着されるヒューズ筒の外観を示す斜視図である。
【図４】第１実施形態による課電端子アダプタの構成を示す斜視分解組立図である。
【図５】第１実施形態による課電端子アダプタの構成を示す平面図であり、図５（Ａ）は、第１導体棒と第２導体棒が結合した状態図、図５（Ｂ）は、第１導体棒と第２導体棒が分離した状態図、図５（Ｃ）は、第１導体棒と第１絶縁棒が結合する前の状態図である。
【図６】第１実施形態の変形例による課電端子アダプタの構成を示す斜視分解組立図である。
【図７】第１実施形態の変形例による課電端子アダプタの構成を示す平面図であり、図７（Ａ）は、第１導体棒と第２導体棒が結合した状態図、図７（Ｂ）は、第１導体棒と第２導体棒が分離した状態図、図７（Ｃ）は、第１導体棒と第１絶縁棒が結合する前の状態図である。
【図８】第１実施形態による課電端子の構成を示す斜視分解組立図である。
【図９】第１実施形態の変形例による課電端子の構成を示す斜視分解組立図である。
【図１０】本発明の第２実施形態による課電端子アダプタが適用される正面扉形の路上変圧器に備わるカットアウトに装着されるヒューズ筒の外観を示す斜視図である。
【図１１】第２実施形態による課電端子アダプタの構成を示す斜視分解組立図である。
【図１２】第２実施形態による課電端子アダプタの構成を示す平面図であり、図１２（Ａ）は、第１導体棒と第２導体棒が結合した状態図、図１２（Ｂ）は、第１導体棒と第２導体棒が分離した状態図、図１２（Ｃ）は、第１導体棒と第１絶縁棒が結合する前の状態図である。
【図１３】第２実施形態の変形例による課電端子アダプタの構成を示す斜視分解組立図である。
【図１４】第２実施形態の変形例による課電端子アダプタの構成を示す平面図であり、図１４（Ａ）は、第１導体棒と第２導体棒が結合した状態図、図１４（Ｂ）は、第１導体棒と第２導体棒が分離した状態図、図１４（Ｃ）は、第１導体棒と第１絶縁棒が結合する前の状態図である。
【図１５】第２実施形態による課電端子の構成を示す斜視分解組立図である。
【図１６】第２実施形態の変形例による課電端子の構成を示す斜視分解組立図である。
【発明を実施するための形態】
【００２２】
以下、図面を参照して本発明を実施するための形態を説明する。
［第１実施形態］
（路上変圧器の構成）
最初に、本発明の第１実施形態による課電端子アダプタが適用される側面扉形の路上変圧器の構成を説明する。図１は、本発明の第１実施形態による課電端子アダプタが適用される側面扉形の路上変圧器の構成を示す図であり、図１（Ａ）は、側面扉形の路上変圧器の平面図、図１（Ｂ）は側面扉形の路上変圧器の正面図である。
【００２３】
図１を参照すると、路上変圧器７は、その本体７０が外箱７１の内部に本体ケース７２を収容している。本体ケース７２の内部には、絶縁油が注入されており、変圧器７３が収納されている。本体ケース７２の外壁には、６個のプラグユニット７４が取付けられている。プラグユニット７４は、本体ケース７２の外壁を気密している。
【００２４】
プラグユニット７４の上方には、円筒型カットアウト（以下、カットアウトと略称する）８が本体ケース７２を気密に貫通し、本体ケース７２の内部の気中部に突出して取付けられている。本体ケース７２の内部において、プラグユニット４とカットアウト８は、導線７４２で電気的に接続されている。
【００２５】
又、本体ケース７２の内部において、カットアウト８と変圧器７３の一次側は、導線７４１で電気的に接続されている。更に、本体ケース７２の内部において、変圧器７３の二次側と二次側の端子（コネクタ）７７は、導線７４３で電気的に接続されている。二次側の端子７７は、負荷に接続する二次側ケーブル７８に接続している。
【００２６】
路上変圧器７には、複数の地中線である一次側ケーブル７５が引き込まれている。これらの一次側ケーブル７５の端末には、エルボ形のロードブレークコネクタ７６が取り付けられている。又、一部のプラグユニット７４には、キャップ７ｃが被せられている。
【００２７】
変圧器７３は、一次側ケーブル７５から供給される電力がカットアウト８を介して変圧している。そして、変圧された電力は、二次側の端子７７を介して、二次側ケーブル７８に供給される。
【００２８】
図示された側面扉形の路上変圧器７は、一方の側面扉７１１を開くと、プラグユニット７４に対してロードブレークコネクタ７６を着脱できる。又、一方の側面扉７１１を開くと、カットアウト８に対してヒューズ筒（側面扉形のヒューズ筒）８１を着脱できる（図２及び図３参照）。一方、他方の側面扉７１２を開くと、二次側の端子７７に対して二次側ケーブル７８を着脱できる。
【００２９】
（カットアウトの構成）
次に、側面扉形の路上変圧器７に備わるカットアウト８の構成を説明する。図２は、前記側面扉形の路上変圧器に備わるカットアウトの縦断面図である。図３は、前記側面扉形の路上変圧器に備わるカットアウトに装着されるヒューズ筒の外観を示す斜視図である。
【００３０】
図２又は図３を参照すると、カットアウト８は、円筒状のカットアウト本体８０とヒューズ筒８１を備えている。カットアウト本体８０は、略円形の開口８１１を基端部に設けている。ヒューズ筒８１は、開口８１１から挿入されて、カットアウト本体８０に穿設された接続穴８１０に装着されている。
【００３１】
図２を参照すると、カットアウト本体８０は、その略外殻を構成する円筒状の碍子８ａを有している。カットアウト本体８０は、碍子８ａの中間部から突出する絶縁キャップ８ｂを有している。そして、カットアウト本体８０は、絶縁キャップ８ｂを介して導線７４１を延出している（図１参照）。
【００３２】
導線７４１は、その端末に第１電極ｅ１を接続している。第１電極ｅ１は、接続穴８１０の中間に配置されている。そして、第１電極ｅ１は、ヒューズ筒８１の中間部の外周に接触（導通）している。
【００３３】
一方、図２を参照すると、カットアウト本体８０は、碍子８ａの先端部を被覆する絶縁キャップ８ｃを有している。そして、カットアウト本体８０は、絶縁キャップ８ｃを介して導線７４２を延出している（図１参照）。
【００３４】
導線７４２は、その端末に第２電極ｅ２を接続している。第２電極ｅ２は、接続穴８１０の奥部に配置されている。第２電極ｅ２は、ヒューズ筒８１の先端部に接触（導通）している。そして、ヒューズ筒８１を介して、一次側ケーブル７５と変圧器７３が電気的に接続されている（図１参照）。
【００３５】
なお、碍子８ａの基端部（入口部）には、はかま部材８ｄが固定されている。はかま部材８ｄには、前述した開口８１１を設けている。カットアウト８は、密閉栓８ｅを開口８１１に取り付けて閉止している。密閉栓８ｅを取り外すと、ヒューズ筒８１を接続穴８１０に着脱できる。
【００３６】
（ヒューズ筒の構成）
図３を参照すると、ヒューズ筒８１は、耐熱性の合成樹脂などからなる絶縁筒８１ａの内部にヒューズエレメント（図示せず）が配置されている。又、絶縁筒８１ａの内部には、消弧剤が充填されている。絶縁筒８１ａの一端は、金属キャップ８１ｂで封止されている。
【００３７】
絶縁筒８１ａの中間部には、導電性の円環状の第１接触端子８１ｃが固定されている。第１接触端子８１ｃは、絶縁筒８１ａの内部でヒューズエレメントの一端に接続している。又、第１接触端子８１ｃの外周は、第１電極ｅ１に接続（接触）できる（図２参照）。
【００３８】
絶縁筒８１ａの他端には、導電性のパイプ状の第２接触端子８１ｄが固定されている。絶縁筒８１ａの他端は、第２接触端子８１ｄで封止されている。第２接触端子８１ｄは、絶縁筒８１ａの内部でヒューズエレメントの他端に接続している。又、第２接触端子８１ｄは、第２電極ｅ２に接続（接触）できる（図２参照）。第２接触端子８１ｄの外径は、絶縁筒８１ａの外径より小さく構成されている。
【００３９】
ヒューズエレメントに規格以上の過大電流が流れると、ヒューズエレメントが溶断して、第１電極ｅ１と第２電極ｅ２の導通を遮断できる。金属キャップ８１ｂには、溶断したヒューズエレメントの一部が突出する溶断標示装置８１ｅを設けている（図２参照）。
【００４０】
（課電端子アダプタの構成）
次に、本発明の第１実施形態による課電端子アダプタの構成を説明する。図４は、第１実施形態による課電端子アダプタの構成を示す斜視分解組立図である。図５は、第１実施形態による課電端子アダプタの構成を示す平面図であり、図５（Ａ）は、第１導体棒と第２導体棒が結合した状態図、図５（Ｂ）は、第１導体棒と第２導体棒が分離した状態図、図５（Ｃ）は、第１導体棒と第１絶縁棒が結合する前の状態図である。
【００４１】
図４又は図５を参照すると、第１実施形態による課電端子アダプタ（以下、アダプタと略称する）１０は、ヒューズ筒８１に代えて接続穴８１０に装着される（図２参照）。そして、アダプタ１０は、課電端子５に接続され、課電端子５から探査信号としての直流電流が課電される。アダプタ１０は、第１導体棒１１、第２導体棒１２、及び第１絶縁棒１５を備えて構成されている。
【００４２】
第１導体棒１１は、導電性の金属丸棒からなり、第１結合部となる雄ねじ部１１ａを基端部に有している。雄ねじ部１１ａは、課電端子５の先端部に設けた雌ねじ部５ａに螺合できる。第１導体棒１１は、課電端子５に着脱自在に結合できる。
【００４３】
又、第１導体棒１１は、第１電極ｅ１に接続する第１接続部１１１を先端部に有している（図２参照）。そして、第１接続部１１１には、雌ねじ部１１ｂが形成されている。
【００４４】
第２導体棒１２は、導電性の金属丸棒からなり、第２結合部となる雄ねじ部１２ａを基端部に有している。雄ねじ部１２ａは、第１接続部１１１に設けた雌ねじ部１１ｂに螺合できる。第２導体棒１２は、第１導体棒１１と同軸上に着脱自在に結合できる。
【００４５】
又、第２導体棒１２は、第２電極ｅ２に接続する第２接続部１２１を先端部に有している（図２参照）。第２導体棒１２は、基端部側が中実の軸棒からなり、先端部側が前記軸棒の外径より小さい外径を有する中空のパイプからなっている。
【００４６】
第１絶縁棒１５は、絶縁性の合成樹脂の丸棒からなり、第３結合部となる雄ねじ部１５ａを基端部に有している。雄ねじ部１５ａは、第１接続部１１１に設けた雌ねじ部１１ｂに螺合できる。第１絶縁棒１５は、第１導体棒１１と同軸上に着脱自在に結合できる。そして、第１絶縁棒１５は、第２電極ｅ２を絶縁できる（図２参照）。
【００４７】
（変形例による課電端子アダプタの構成）
次に、第１実施形態の変形例による課電端子アダプタの構成を説明する。図６は、第１実施形態の変形例による課電端子アダプタの構成を示す斜視分解組立図である。図７は、第１実施形態の変形例による課電端子アダプタの構成を示す平面図であり、図７（Ａ）は、第１導体棒と第２導体棒が結合した状態図、図７（Ｂ）は、第１導体棒と第２導体棒が分離した状態図、図７（Ｃ）は、第１導体棒と第１絶縁棒が結合する前の状態図である。
【００４８】
なお、図４及び図５で使用された符号と同じ符号の構成品は、その作用を同一とするので、以下の説明では割愛する場合がある。図６又は図７を参照すると、第１接続部１１１には、軸部１２ｃ又は軸部１５ｃが嵌合する軸穴１１ｃを設けている。又、第１接続部１１１には、一対の鉤状の係合溝１１ｄ・１１ｅを設けている。
【００４９】
第２導体棒１２は、導電性の金属丸棒からなり、第１導体棒１１の先端部と結合する第２結合部１２ｂを基端部に有している。第２結合部１２ｂは、軸部１２ｃ、一対のピン１２ｄ・１２ｅ、及び固定リング１２ｆを有している。一対のピン１２ｄ・１２ｅは、軸部１２ｃの外周から突出している。一対のピン１２ｄ・１２ｅを一対の係合溝１１ｄ・１１ｅに挿入し、更に、第２導体棒１２を回動して、第１導体棒１１に係合できる。
【００５０】
固定リング１２ｆは、軸部１２ｃに螺合している。一対のピン１２ｄ・１２ｅが一対の係合溝１１ｄ・１１ｅに係合した状態で、固定リング１２ｆを回転すると、第２導体棒１２を第１導体棒１１に締結できる。このように、いわゆるツイストロック機構を用いて、第２導体棒１２は、第１導体棒１１と同軸上に着脱自在に結合できる。
【００５１】
第１絶縁棒１５は、絶縁性の合成樹脂の丸棒からなり、第１導体棒１１の先端部と結合する第３結合部１５ｂを基端部に有している。第３結合部１５ｂは、軸部１５ｃ、一対のピン１５ｄ・１５ｅ、及び固定リング１５ｆを有している。一対のピン１５ｄ・１５ｅは、軸部１５ｃの外周から突出している。一対のピン１５ｄ・１５ｅを一対の係合溝１１ｄ・１１ｅに挿入し、更に、第１絶縁棒１５を回動して、第１導体棒１１に係合できる。
【００５２】
固定リング１５ｆは、軸部１５ｃに螺合している。一対のピン１５ｄ・１５ｅが一対の係合溝１１ｄ・１１ｅに係合した状態で、固定リング１５ｆを回転すると、第１絶縁棒１５を第１導体棒１１に締結できる。このように、ツイストロック機構を用いて、第１絶縁棒１５は、第１導体棒１１と同軸上に着脱自在に結合できる。そして、第１絶縁棒１５は、第２電極ｅ２を絶縁できる（図２参照）。
【００５３】
（課電端子アダプタの作用）
次に、本発明の第１実施形態による課電端子アダプタ、及び第１実施形態の変形例による課電端子アダプタの操作方法及びその作用を説明する。図１又は図２を参照して、最初に、側面扉７１１を開いて、カットアウト本体８０からヒューズ筒８１を取り外しておく。
【００５４】
次に、図４及び図５（又は、図６及び図７）を参照して、第１導体棒１１と第２導体棒１２とを結合したアダプタ１０に課電端子５を結合した状態で、接続穴８１０に挿入する（図２参照）。次に、課電端子５を課電すると、アダプタ１０から第１電極ｅ１及び第２電極ｅ２を介して、一次側ケーブル７５及び変圧器７３側に課電される。
【００５５】
そして、図示しない測定器に反応があった場合は、一次側ケーブル７５に接続する地中線又は変圧器７３側のいずれか、又は双方に地絡事故が生じていることが判る。
【００５６】
次に、図４及び図５（又は、図６及び図７）を参照して、第１導体棒１１と第１絶縁棒１５とを結合したアダプタ１０に課電端子５を結合した状態で、接続穴８１０に挿入する（図２参照）。次に、課電端子５を課電すると、アダプタ１０から第１電極ｅ１を介して、変圧器７３側に課電される。
【００５７】
上記の場合、図示しない測定器に反応があった場合は、変圧器７３側に地絡事故が生じていることが判る。一方、図示しない測定器に反応が無い場合は、一次側ケーブル７５に接続する地中線に地絡事故が生じていることが判る。そして、測定器により、地中線の事故点が探索される。
【００５８】
このように、第１実施形態によるアダプタ１０は、第１導体棒１１及び第２導体棒１２からなるアダプタ１０を接続穴８１０に挿入して、課電することにより事故の有無を検査し、次に、第１導体棒１１及び第１絶縁棒１５からなるアダプタ１０を接続穴８１０に挿入して、課電することにより、地中線又は変圧器７３側の事故点を特定でき、地中線を事故探査することが容易である。
【００５９】
（課電端子の構成）
次に、本発明の第１実施形態による課電端子の構成を説明する。図８は、第１実施形態による課電端子アダプタの構成を示す斜視分解組立図である。
【００６０】
図８を参照すると、第１実施形態による課電端子１００は、ヒューズ筒８１に代えて接続穴８１０に装着される（図２参照）。課電端子１００は、課電端子本体５０、第３導体棒１３、第４導体棒１４、及び第２絶縁棒１６を備えて構成されている。
【００６１】
図２又は図３及び図８を参照すると、第３導体棒１３は、導電性の金属丸棒からなり、課電端子本体５０の先端部から突出するように形成されている。又、第３導体棒１３は、第１電極ｅ１に接続する第３接続部１３１を先端部に有している。そして、第３導体棒１３は、ヒューズ筒８１の基端部側と同形状に形成されている。第３接続部１３１には、雌ねじ部１３ｂが形成されている。
【００６２】
第４導体棒１４は、導電性の金属丸棒からなり、第３結合部となる雄ねじ部１４ａを基端部に有している。雄ねじ部１４ａは、第３接続部１３１に設けた雌ねじ部１３ｂに螺合できる。第４導体棒１４は、第３導体棒１３と同軸上に着脱自在に結合できる。
【００６３】
又、第４導体棒１４は、第２電極ｅ２に接続する第４接続部１４１を先端部に有している。第４導体棒１４は、基端部側が中実の軸棒からなり、先端部側が前記軸棒の外径より小さい外径を有する中空のパイプからなっている。そして、第４導体棒１４は、ヒューズ筒８１の先端部側と同形状に形成されている。
【００６４】
第２絶縁棒１６は、絶縁性の合成樹脂の丸棒からなり、第４結合部となる雄ねじ部１６ａを基端部に有している。雄ねじ部１６ａは、第３接続部１３１に設けた雌ねじ部１３ｂに螺合できる。第２絶縁棒１６は、第３導体棒１３と同軸上に着脱自在に結合できる。そして、第２絶縁棒１６は、第２接触端子８１ｄを除くヒューズ筒８１の先端部側と同形状に形成されている（図２参照）。
【００６５】
（変形例による課電端子の構成）
次に、第１実施形態の変形例による課電端子の構成を説明する。図９は、第１実施形態の変形例による課電端子の構成を示す斜視分解組立図である。
【００６６】
なお、図８で使用された符号と同じ符号の構成品は、その作用を同一とするので、以下の説明では割愛する場合がある。図９を参照すると、第３接続部１３１には、軸部１４ｃ又は軸部１６ｃが嵌合する軸穴１３ｃを設けている。又、第３接続部１３１には、一対の鉤状の係合溝１３ｄ・１３ｅを設けている。
【００６７】
第４導体棒１４は、導電性の金属丸棒からなり、第３導体棒１３の先端部と結合する第４結合部１４ｂを基端部に有している。第４結合部１４ｂは、軸部１４ｃ、一対のピン１４ｄ・１４ｅ、及び固定リング１４ｆを有している。一対のピン１４ｄ・１４ｅは、軸部１４ｃの外周から突出している。一対のピン１４ｄ・１４ｅを一対の係合溝１３ｄ・１３ｅに挿入し、更に、第４導体棒１４を回動して、第３導体棒１３に係合できる。
【００６８】
固定リング１４ｆは、軸部１４ｃに螺合している。一対のピン１４ｄ・１４ｅが一対の係合溝１３ｄ・１３ｅに係合した状態で、固定リング１４ｆを回転すると、第４導体棒１４を第３導体棒１３に締結できる。このように、ツイストロック機構を用いて、第４導体棒１４は、第３導体棒１３と同軸上に着脱自在に結合できる。
【００６９】
第２絶縁棒１６は、絶縁性の合成樹脂の丸棒からなり、第３導体棒１３の先端部と結合する第５結合部１６ｂを基端部に有している。第５結合部１６ｂは、軸部１６ｃ、一対のピン１６ｄ・１６ｅ、及び固定リング１６ｆを有している。一対のピン１６ｄ・１６ｅは、軸部１６ｃの外周から突出している。一対のピン１６ｄ・１６ｅを一対の係合溝１３ｄ・１３ｅに挿入し、更に、第２絶縁棒１６を回動して、第３導体棒１３に係合できる。
【００７０】
固定リング１６ｆは、軸部１６ｃに螺合している。一対のピン１６ｄ・１６ｅが一対の係合溝１３ｄ・１３ｅに係合した状態で、固定リング１６ｆを回転すると、第２絶縁棒１６を第３導体棒１３に締結できる。このように、ツイストロック機構を用いて、第２絶縁棒１６は、第３導体棒１３と同軸上に着脱自在に結合できる。そして、第２絶縁棒１６は、第２接触端子８１ｄを除くヒューズ筒８１の先端部側と同形状に形成されている（図２参照）。
【００７１】
（課電端子の作用）
次に、第１実施形態による課電端子、及び第１実施形態の変形例による課電端子の操作方法及びその作用を説明する。図１又は図２を参照して、最初に、側面扉７１１を開いて、カットアウト本体８０からヒューズ筒８１を取り外しておく。
【００７２】
次に、図８（又は図９）を参照して、課電端子本体５０の先端部に設けた第３導体棒１３に第４導体棒１４を結合した課電端子１００を接続穴８１０に挿入する（図２参照）。次に、課電端子本体５０を課電すると、課電端子１００から第１電極ｅ１及び第２電極ｅ２を介して、一次側ケーブル７５及び変圧器７３側に課電される。
【００７３】
そして、図示しない測定器に反応があった場合は、一次側ケーブル７５に接続する地中線又は変圧器７３側のいずれか、又は双方に地絡事故が生じていることが判る。
【００７４】
次に、図８（又は図９）を参照して、第３導体棒１３に第２絶縁棒１６を結合した課電端子１００を接続穴８１０に挿入する（図２参照）。次に、課電端子本体５０を課電すると、課電端子１００から第１電極ｅ１を介して、変圧器７３側に課電される。
【００７５】
上記の場合、図示しない測定器に反応があった場合は、変圧器７３側に地絡事故が生じていることが判る。一方、図示しない測定器に反応が無い場合は、一次側ケーブル７５に接続する地中線に地絡事故が生じていることが判る。そして、測定器により、地中線の事故点が探索される。
【００７６】
第１実施形態による課電端子１００は、課電端子本体５０の先端部に第３導体棒１３を予め結合しているので、第４導体棒１４と第２絶縁棒１６とを交換するだけの手間で済むというメリットがある。
【００７７】
［第２実施形態］
（ヒューズ筒の構成）
次に、本発明の第２実施形態による課電端子アダプタが適用される正面扉形の路上変圧器に備わるカットアウトに装着されるヒューズ筒の構成を説明する。図１０は、本発明の第２実施形態による課電端子アダプタが適用される正面扉形の路上変圧器に備わるカットアウトに装着されるヒューズ筒の外観を示す斜視図である。
【００７８】
図１０を参照すると、ヒューズ筒９１は、ヒューズ筒８１は、耐熱性の合成樹脂などからなる絶縁筒９１ａの内部にヒューズエレメント（図示せず）が配置されている。又、絶縁筒９１ａの内部には、消弧剤が充填されている。絶縁筒９１ａの一端は、金属キャップ９１ｂで封止されている。
【００７９】
絶縁筒９１ａの中間部には、導電性の円環状の第１接触端子９１ｃが固定されている。第１接触端子９１ｃは、絶縁筒９１ａの内部でヒューズエレメントの一端に接続している。又、第１接触端子９１ｃの外周は、図示しないカットアウトの接続穴の中間部に設けた第１電極に接続（接触）できる。
【００８０】
絶縁筒９１ａの他端には、導電性の円環状の第２接触端子９１ｄが固定されている。絶縁筒９１ａの他端は、第２接触端子９１ｄで封止されている。第２接触端子９１ｄは、絶縁筒９１ａの内部でヒューズエレメントの他端に接続している。又、第２接触端子８１ｄは、図示しないカットアウトの接続穴の奥部に設けた第２電極に接続（接触）できる。第２接触端子８１ｄの先端部には、絶縁性のキャップ９１ｅを設けている。
【００８１】
絶縁筒９１ａの内部のヒューズエレメントに規格以上の過大電流が流れると、ヒューズエレメントが溶断して、第１電極（地中線）と第２電極（変圧器）の導通を遮断できる。
【００８２】
（課電端子アダプタの構成）
次に、本発明の第２実施形態による課電端子アダプタの構成を説明する。図１１は、第２実施形態による課電端子アダプタの構成を示す斜視分解組立図である。図１２は、第２実施形態による課電端子アダプタの構成を示す平面図であり、図１２（Ａ）は、第１導体棒と第２導体棒が結合した状態図、図１２（Ｂ）は、第１導体棒と第２導体棒が分離した状態図、図１２（Ｃ）は、第１導体棒と第１絶縁棒が結合する前の状態図である。
【００８３】
図１１又は図１２を参照すると、第２実施形態によるアダプタ２０は、ヒューズ筒９１に代えて図示しないカットアウトに設けた接続穴に装着される。そして、アダプタ２０は、課電端子６に接続され、課電端子６から探査信号としての直流電流が課電される。アダプタ２０は、第１導体棒２１、第２導体棒２２、及び第１絶縁棒２５を備えて構成されている。
【００８４】
第１導体棒２１は、導電性の金属丸棒からなり、第１結合部となる雄ねじ部２１ａを基端部に有している。雄ねじ部２１ａは、課電端子６の先端部に設けた雌ねじ部６ａに螺合できる。第１導体棒２１は、課電端子６に着脱自在に結合できる。
【００８５】
又、第１導体棒２１は、図示しない第１電極に接続する第１接続部２１１を先端部に有している。そして、第１接続部２１１には、雌ねじ部２１ｂが形成されている。
【００８６】
第２導体棒２２は、導電性の金属丸棒からなり、第２結合部となる雄ねじ部２２ａを基端部に有している。雄ねじ部２２ａは、第１接続部２１１に設けた雌ねじ部２１ｂに螺合できる。第２導体棒２２は、第１導体棒２１と同軸上に着脱自在に結合できる。
【００８７】
又、第２導体棒２２は、図示しない第２電極に接続する第２接続部２２１を先端部に有している。第２導体棒２２は、中実の軸棒からなり、第１接続部２１１と同じ外径を有する絶縁性のキャップ２２２を先端部に被せている。
【００８８】
第１絶縁棒２５は、絶縁性の合成樹脂の丸棒からなり、第３結合部となる雄ねじ部２５ａを基端部に有している。雄ねじ部２５ａは、第１接続部２１１に設けた雌ねじ部２１ｂに螺合できる。第１絶縁棒２５は、第１導体棒２１と同軸上に着脱自在に結合できる。そして、第１絶縁棒２５の先端部は、図示しない第２電極を絶縁できる。
【００８９】
（変形例による課電端子アダプタの構成）
次に、第２実施形態の変形例による課電端子アダプタの構成を説明する。図１３は、第２実施形態の変形例による課電端子アダプタの構成を示す斜視分解組立図である。図１４は、第２実施形態の変形例による課電端子アダプタの構成を示す平面図であり、図１４（Ａ）は、第１導体棒と第２導体棒が結合した状態図、図１４（Ｂ）は、第１導体棒と第２導体棒が分離した状態図、図１４（Ｃ）は、第１導体棒と第１絶縁棒が結合する前の状態図である。
【００９０】
なお、図１１及び図１２で使用された符号と同じ符号の構成品は、その作用を同一とするので、以下の説明では割愛する場合がある。図１３又は図１４を参照すると、第１接続部２１１には、軸部２２ｃ又は軸部２５ｃが嵌合する軸穴２１ｃを設けている。又、第１接続部２１１には、一対の鉤状の係合溝２１ｄ・２１ｅを設けている。
【００９１】
第２導体棒２２は、導電性の金属丸棒からなり、第１導体棒２１の先端部と結合する第２結合部２２ｂを基端部に有している。第２結合部２２ｂは、軸部２２ｃ、一対のピン２２ｄ・２２ｅ、及び固定リング２２ｆを有している。一対のピン２２ｄ・２２ｅは、軸部２２ｃの外周から突出している。一対のピン２２ｄ・２２ｅを一対の係合溝２１ｄ・２１ｅに挿入し、更に、第２導体棒２２を回動して、第１導体棒２１に係合できる。
【００９２】
固定リング２２ｆは、軸部２２ｃに螺合している。一対のピン２２ｄ・２２ｅが一対の係合溝２１ｄ・２１ｅに係合した状態で、固定リング２２ｆを回転すると、第２導体棒２２を第１導体棒２１に締結できる。このように、ツイストロック機構を用いて、第２導体棒２２は、第１導体棒２１と同軸上に着脱自在に結合できる。
【００９３】
第１絶縁棒２５は、絶縁性の合成樹脂の丸棒からなり、第１導体棒２１の先端部と結合する第３結合部２５ｂを基端部に有している。第３結合部２５ｂは、軸部２５ｃ、一対のピン２５ｄ・２５ｅ、及び固定リング２５ｆを有している。一対のピン２５ｄ・２５ｅは、軸部２５ｃの外周から突出している。一対のピン２５ｄ・２５ｅを一対の係合溝２１ｄ・２１ｅに挿入し、更に、第１絶縁棒２５を回動して、第１導体棒２１に係合できる。
【００９４】
固定リング２５ｆは、軸部２５ｃに螺合している。一対のピン２５ｄ・２５ｅが一対の係合溝２１ｄ・２１ｅに係合した状態で、固定リング２５ｆを回転すると、第１絶縁棒２５を第１導体棒２１に締結できる。このように、ツイストロック機構を用いて、第１絶縁棒２５は、第１導体棒２１と同軸上に着脱自在に結合できる。そして、第１絶縁棒２５の先端部は、図示しない第２電極を絶縁できる。
【００９５】
（課電端子アダプタの作用）
次に、本発明の第２実施形態による課電端子アダプタ、及び第２実施形態の変形例による課電端子アダプタの操作方法及びその作用を説明する。最初に、正面扉形の路上変圧器に備わる正面扉を開いて、カットアウト本体からヒューズ筒９１を取り外しておく（図１０参照）。
【００９６】
次に、図１１及び図１２（又は図１３及び図１４）を参照して、第１導体棒２１と第２導体棒２２とを結合したアダプタ２０に課電端子６を結合した状態で、図示しない接続穴に挿入する。次に、課電端子６を課電すると、アダプタ２０から第１電極及び第２電極を介して、一次側ケーブル及び変圧器側に課電される。
【００９７】
そして、図示しない測定器に反応があった場合は、一次側ケーブルに接続する地中線又は変圧器側のいずれか、又は双方に地絡事故が生じていることが判る。
【００９８】
次に、図１１及び図１２（又は図１３及び図１４）を参照して、第１導体棒２１と第１絶縁棒２５とを結合したアダプタ２０に課電端子６を結合した状態で、図示しない接続穴に挿入する。次に、課電端子６を課電すると、アダプタ２０から第１電極を介して、変圧器側に課電される。
【００９９】
上記の場合、図示しない測定器に反応があった場合は、変圧器側に地絡事故が生じていることが判る。一方、図示しない測定器に反応が無い場合は、一次側ケーブルに接続する地中線に地絡事故が生じていることが判る。そして、測定器により、地中線の事故点が探索される。
【０１００】
このように、第２実施形態によるアダプタ２０は、第１導体棒２１及び第２導体棒２２からなるアダプタ２０を接続穴に挿入して、課電することにより事故の有無を検査し、次に、第１導体棒２１及び第１絶縁棒２５からなるアダプタ２０を接続穴に挿入して、課電することにより、正面扉形の路上変圧器に係る地中線又は変圧器側の事故を特定でき、地中線を事故探査することが容易である。
【０１０１】
（課電端子の構成）
次に、本発明の第２実施形態による課電端子の構成を説明する。図１５は、第２実施形態による課電端子の構成を示す斜視分解組立図である。
【０１０２】
図１５を参照すると、第２実施形態による課電端子２００は、ヒューズ筒９１に代えて接続穴に装着される（図１０参照）。課電端子２００は、課電端子本体６０、第３導体棒２３、第４導体棒２４、及び第２絶縁棒２６を備えて構成されている。
【０１０３】
図１０及び図１５を参照すると、第３導体棒２３は、導電性の金属丸棒からなり、課電端子本体６０の先端部から突出するように形成されている。又、第３導体棒２３は、第１電極に接続する第３接続部２３１を先端部に有している。そして、第３導体棒２３は、ヒューズ筒９１の基端部側と同形状に形成されている。第３接続部２３１には、雌ねじ部２３ｂが形成されている。
【０１０４】
第４導体棒２４は、導電性の金属丸棒からなり、第３結合部となる雄ねじ部２４ａを基端部に有している。雄ねじ部２４ａは、第３接続部２３１に設けた雌ねじ部２３ｂに螺合できる。第４導体棒２４は、第３導体棒２３と同軸上に着脱自在に結合できる。
【０１０５】
又、第４導体棒２４は、第２電極に接続する第４接続部２４１を先端部に有している。第４導体棒２４は、基端部側が中実の軸棒からなり、先端部側が前記軸棒の外径より大きい外径を有している。又、第４接続部２４１の先端部には、絶縁性のキャップ２４２を設けている。そして、第４導体棒２４は、ヒューズ筒９１の先端部側と同形状に形成されている。
【０１０６】
第２絶縁棒２６は、絶縁性の合成樹脂の丸棒からなり、第４結合部となる雄ねじ部１６ａを基端部に有している。雄ねじ部２６ａは、第３接続部２３１に設けた雌ねじ部２３ｂに螺合できる。第２絶縁棒２６は、第３導体棒２３と同軸上に着脱自在に結合できる。そして、第２絶縁棒２６は、ヒューズ筒９１の先端部側と同形状に形成されている。
【０１０７】
（変形例による課電端子の構成）
次に、第２実施形態の変形例による課電端子の構成を説明する。図１６は、第２実施形態の変形例による課電端子の構成を示す斜視分解組立図である。
【０１０８】
なお、図１５で使用された符号と同じ符号の構成品は、その作用を同一とするので、以下の説明では割愛する場合がある。図１６を参照すると、第３接続部２３１には、軸部２４ｃ又は軸部２６ｃが嵌合する軸穴２３ｃを設けている。又、第３接続部２３１には、一対の鉤状の係合溝２３ｄ・２３ｅを設けている。
【０１０９】
第４導体棒２４は、導電性の金属丸棒からなり、第３導体棒２３の先端部と結合する第４結合部２４ｂを基端部に有している。第４結合部２４ｂは、軸部２４ｃ、一対のピン２４ｄ・２４ｅ、及び固定リング２４ｆを有している。一対のピン２４ｄ・２４ｅは、軸部２４ｃの外周から突出している。一対のピン２４ｄ・２４ｅを一対の係合溝２３ｄ・２３ｅに挿入し、更に、第４導体棒２４を回動して、第３導体棒２３に係合できる。
【０１１０】
固定リング２４ｆは、軸部２４ｃに螺合している。一対のピン２４ｄ・２４ｅが一対の係合溝２３ｄ・２３ｅに係合した状態で、固定リング２４ｆを回転すると、第４導体棒２４を第３導体棒２３に締結できる。このように、ツイストロック機構を用いて、第４導体棒２４は、第３導体棒２３と同軸上に着脱自在に結合できる。そして、第２絶縁棒２６は、ヒューズ筒９１の先端部側と同形状に形成されている（図１０参照）。
【０１１１】
（課電端子の作用）
次に、第２実施形態による課電端子、及び第２実施形態の変形例による課電端子の操作方法及びその作用を説明する。最初に、正面扉形の路上変圧器に備わる正面扉を開いて、カットアウト本体からヒューズ筒９１を取り外しておく（図１０参照）。
【０１１２】
次に、図１５（又は図１６）を参照して、課電端子本体６０の先端部に設けた第３導体棒２３に第４導体棒２４を結合した課電端子２００を接続穴に挿入する。次に、課電端子本体６０を課電すると、課電端子２００から第１電極及び第２電極を介して、一次側ケーブル及び変圧器側に課電される。
【０１１３】
そして、図示しない測定器に反応があった場合は、一次側ケーブルに接続する地中線又は変圧器側のいずれか、又は双方に地絡事故が生じていることが判る。
【０１１４】
次に、図１５（又は図１６）を参照して、第３導体棒２３に第２絶縁棒２６を結合した課電端子２００を接続穴に挿入する。次に、課電端子本体６０を課電すると、課電端子２００から第１電極を介して、変圧器側に課電される。
【０１１５】
上記の場合、図示しない測定器に反応があった場合は、変圧器側に地絡事故が生じていることが判る。一方、図示しない測定器に反応が無い場合は、一次側ケーブルに接続する地中線に地絡事故が生じていることが判る。そして、測定器により、地中線の事故点が探索される。
【０１１６】
第２実施形態による課電端子２００は、課電端子本体６０の先端部に第３導体棒２３を予め結合しているので、第４導体棒２４と第２絶縁棒２６と交換するだけの手間で済むというメリットがある。
【符号の説明】
【０１１７】
５  課電端子
７  路上変圧器
８  カットアウト
１０  アダプタ（課電端子アダプタ）
１１  第１導体棒
１１ａ  雄ねじ部（第１結合部）
１２  第２導体棒
１２ａ  雄ねじ部（第２結合部）
１５  第１絶縁棒
１５ａ  雄ねじ部（第３結合部）
７０  本体
７３  変圧器
８１  ヒューズ筒
１１１  第１接続部
１２１  第２接続部
８１０  接続穴
ｅ１  第１電極
ｅ２  第２電極
【図１】
0005631579.tif 000002
【図２】
0005631579.tif 000003
【図３】
0005631579.tif 000004
【図４】
0005631579.tif 000005
【図５】
0005631579.tif 000006
【図６】
0005631579.tif 000007
【図７】
0005631579.tif 000008
【図８】
0005631579.tif 000009
【図９】
0005631579.tif 000010
【図１０】
0005631579.tif 000011
【図１１】
0005631579.tif 000012
【図１２】
0005631579.tif 000013
【図１３】
0005631579.tif 000014
【図１４】
0005631579.tif 000015
【図１５】
0005631579.tif 000016
【図１６】
0005631579.tif 000017